(57)【要約】【課題】本願発明は、演出上見せたくない映像を隠すことができる映像切替装置を提供する。【解決手段】映像切替装置１は、ＨＤＲカメラで撮影された撮影映像をブロックに分割するブロック分割部１０と、ブロック毎に映像レベルを算出する平均ブロックレベル算出部２０と、映像レベルが基準映像レベル以上となるブロック数が基準ブロック数未満の場合、撮影映像を黒映像に切り替えると判定し、映像レベルが基準映像レベル以上となるブロック数が基準ブロック数以上の場合、黒映像を撮影映像に切り替えると判定する切替判定部４０と、撮影映像を黒映像に切り替えると判定された場合、撮影映像を黒映像に切り替え、黒映像を撮影映像に切り替えると判定された場合、黒映像を撮影映像に切り替えるオーバーラップ切替部６０とを備える。【選択図】図２
2017126878.tif 000002
【特許請求の範囲】
【請求項１】
視覚特性再現型の撮影カメラで撮影された撮影映像と、全画面を黒くした黒映像とを切り替える映像切替装置であって、
前記撮影映像を予め設定されたサイズのブロックに分割するブロック分割部と、
前記ブロック毎に、前記撮影映像の明るさを表す映像レベルを算出する映像レベル算出部と、
前記映像レベルが予め設定された基準映像レベル以上となるブロック数が予め設定された基準ブロック数未満の場合、前記撮影映像を前記黒映像に切り替えると判定し、前記映像レベルが前記基準映像レベル以上となるブロック数が前記基準ブロック数以上の場合、前記黒映像を前記撮影映像に切り替えると判定する切替判定部と、
前記撮影映像を前記黒映像に切り替えると判定された場合、予め設定された時間内で前記撮影映像を徐々に前記黒映像に切り替え、前記黒映像を前記撮影映像に切り替えると判定された場合、前記時間内に前記黒映像を徐々に前記撮影映像に切り替える映像切替部と、
を備えることを特徴とする映像切替装置。
【請求項２】
視覚特性再現型の撮影カメラで撮影された撮影映像と、全画面を白くした白映像とを切り替える映像切替装置であって、
前記撮影映像を予め設定されたサイズのブロックに分割するブロック分割部と、
前記ブロック毎に、前記撮影映像の明るさを表す映像レベルを算出する映像レベル算出部と、
前記映像レベルが予め設定された基準映像レベル未満となるブロック数が予め設定された基準ブロック数未満の場合、前記撮影映像を前記白映像に切り替えると判定し、前記映像レベルが前記基準映像レベル未満となるブロック数が前記基準ブロック数以上の場合、前記白映像を前記撮影映像に切り替えると判定する切替判定部と、
前記撮影映像を前記白映像に切り替えると判定された場合、予め設定された時間内で前記撮影映像を徐々に前記白映像に切り替え、前記白映像を前記撮影映像に切り替えると判定された場合、前記時間内に前記白映像を徐々に前記撮影映像に切り替える映像切替部と、
を備えることを特徴とする映像切替装置。
【請求項３】
前記ブロック分割部は、前記視覚特性再現型の撮影カメラとしてのＨＤＲカメラで撮影された撮影映像を前記ブロックに分割することを特徴とする請求項１又は請求項２に記載の映像切替装置。
【請求項４】
前記映像レベル算出部は、前記映像レベルとして、前記ブロック内で画素レベルの平均値を算出することを特徴とする請求項１から請求項３の何れか一項に記載の映像切替装置。
【請求項５】
コンピュータを、請求項１から請求項４の何れか一項に記載の映像切替装置として機能させるための映像切替プログラム。
【発明の詳細な説明】
【技術分野】
【０００１】
本願発明は、視覚特性再現型の撮影カメラで撮影された撮影映像と、全画面を黒くした黒映像又は全画面を白くした白映像とを切り替える映像切替装置及びそのプログラムに関する。
【背景技術】
【０００２】
近年、人間の視覚により忠実な映像を再現しようとする視覚特性再現型の映像システムが普及してきている。例えば、視覚特性再現型の映像システムとしては、ＨＤＲ（ハイダイナミックレンジ）映像システムが知られている。このＨＤＲ映像システムは、人間の視覚特性に合わせて、ダイナミックレンジを拡張したものである（特許文献１参照）。これにより、ＨＤＲ映像システムは、従来の映像システムでダイナミックレンジが狭いために白つぶれや黒つぶれが発生していた明部及び暗部のコントラストを、肉眼に近い形で再現できる。
【先行技術文献】
【特許文献】
【０００３】
【特許文献１】特開２０１５−５６８０７号公報
【発明の概要】
【発明が解決しようとする課題】
【０００４】
しかし、ＨＤＲ映像システムは、裏を返せば、白つぶれや黒つぶれで隠されていた演出上見せたくない映像までもが見えてしまうという問題がある。以下、この問題を具体的に説明する。
【０００５】
例えば、ホール・会館等での客入れ公開番組では、図１２（ａ）のように、暗闇に出演者が紛れており、番組開始に合わせてピンスポット照射により暗闇から出演者が登場する演出がよく行われている。
完全暗転が表現できるのはテレビ画面で視聴する場合であって、会場の観客には、図１２（ｂ）のように暗闇の中に出演者がうっすらと見えている。この理由として、会場の構造や安全確保上、現場を完全に暗転状態にすることが困難な点があげられる。さらに、人間の視覚特性が映像システムの撮像特性よりも優れているため、テレビ画面では完全暗転していても、肉眼では暗部も見えてしまう。
ＨＤＲカメラが登場し、人間の視覚特性に近い映像再現が可能になると、従来の映像システムで都合よく隠れていた演出上見せたくない映像が、テレビ画面でも見えてしまう。
【０００６】
そこで、本願発明は、演出上見せたくない映像を隠すことができる映像切替装置及びそのプログラムを提供することを課題とする。
【課題を解決するための手段】
【０００７】
前記した課題に鑑みて、本願発明に係る映像切替装置は、視覚特性再現型の撮影カメラで撮影された撮影映像と、全画面を黒くした黒映像とを切り替える映像切替装置であって、ブロック分割部と、映像レベル算出部と、切替判定部と、映像切替部と、を備える構成とした。
【０００８】
かかる構成によれば、映像切替装置は、ブロック分割部によって、撮影映像を予め設定されたサイズのブロックに分割する。また、映像切替装置は、映像レベル算出部によって、ブロック毎に、撮影映像の明るさを表す映像レベルを算出する。そして、映像切替装置は、切替判定部によって、映像レベルが予め設定された基準映像レベル以上となるブロック数が予め設定された基準ブロック数未満の場合、撮影映像を前記黒映像に切り替えると判定し、映像レベルが前記基準映像レベル以上となるブロック数が基準ブロック数以上の場合、黒映像を前記撮影映像に切り替えると判定する。
このように、映像切替装置は、ブロックを用いて、画素のまとまりで映像レベル変化を判定するので、１画素などの極小局所的な映像レベルの変化による誤判定を防止できる。
【０００９】
映像切替装置は、映像切替部によって、撮影映像を黒映像に切り替えると判定された場合、予め設定された時間内で撮影映像を徐々に前記黒映像に切り替え、黒映像を撮影映像に切り替えると判定された場合、時間内に黒映像を徐々に撮影映像に切り替える。
このように、映像切替装置は、演出上見せたくない映像を隠すことができる。
【００１０】
また、前記した課題に鑑みて、視覚特性再現型の撮影カメラで撮影された撮影映像と、全画面を白くした白映像とを切り替える映像切替装置であって、ブロック分割部と、映像レベル算出部と、切替判定部と、映像切替部と、を備える構成とした。
【００１１】
かかる構成によれば、映像切替装置は、ブロック分割部によって、撮影映像を予め設定されたサイズのブロックに分割する。また、映像切替装置は、映像レベル算出部によって、ブロック毎に、撮影映像の明るさを表す映像レベルを算出する。そして、映像切替装置は、切替判定部によって、映像レベルが予め設定された基準映像レベル未満となるブロック数が予め設定された基準ブロック数未満の場合、撮影映像を白映像に切り替えると判定し、映像レベルが基準映像レベル未満となるブロック数が基準ブロック数以上の場合、白映像を撮影映像に切り替えると判定する。
このように、映像切替装置は、ブロックを用いて、画素のまとまりで映像レベル変化を判定するので、１画素などの極小局所的な映像レベルの変化による誤判定を防止できる。
【００１２】
映像切替装置は、映像切替部によって、撮影映像を白映像に切り替えると判定された場合、予め設定された時間内で撮影映像を徐々に白映像に切り替え、白映像を撮影映像に切り替えると判定された場合、時間内に白映像を徐々に撮影映像に切り替える。
このように、映像切替装置は、演出上見せたくない映像を隠すことができる。
【発明の効果】
【００１３】
本願発明によれば、以下のような優れた効果を奏する。
本願発明に係る映像切替装置は、極小局所的な映像レベルの変化による誤判定を防止し、演出上見せたくない映像を隠すことができるので、視覚特性再現型の映像システムにおいて、演出効果の高い放送番組を制作することができる。
【図面の簡単な説明】
【００１４】
【図１】本願発明の第１実施形態に係る映像切替装置の概要図である。
【図２】図１の映像切替装置の構成を示すブロック図である。
【図３】ブロックに分割された撮影映像の説明図である。
【図４】図２の切替判定部による判定の説明図である。
【図５】図２の切替判定部による判定の説明図である。
【図６】図２の映像切替装置の動作を示すフローチャートである。
【図７】撮影画像の説明図である。
【図８】本願発明の第２実施形態に係る映像切替装置の構成を示すブロック図である。
【図９】図８の切替判定部による判定の説明図である。
【図１０】図８の切替判定部による判定の説明図である。
【図１１】図８の映像切替装置の動作を示すフローチャートである。
【図１２】（ａ）は従来の撮影カメラの撮像特性の説明図であり、（ｂ）はＨＤＲカメラの撮像特性の説明図である。
【発明を実施するための形態】
【００１５】
以下、本願発明の実施形態について、適宜図面を参照しながら詳細に説明する。なお、各実施形態において、同一の手段及び同一の処理には同一の符号を付し、説明を省略した。
【００１６】
（第１実施形態）
［映像切替装置の概要］
図１を参照し、本願発明の第１実施形態に係る映像切替装置１の概要について説明する。
従来の撮影カメラでは、暗闇に紛れている出演者等が黒つぶれして映像に映ることはなかった。しかし、図１のＨＤＲカメラ２（視覚特性再現型の撮影カメラ）では、その撮像特性により、暗闇に紛れている出演者等が映ってしまい、演出上好ましくない。
【００１７】
そこで、映像切替装置１は、ＨＤＲカメラ２で撮影された撮影映像と、全画面を黒くした黒映像とを切り替えるものである。
具体的には、映像切替装置１は、ＨＤＲカメラ２で撮影された撮影映像の映像レベルが低い場合、暗転状態であると判定して、撮影映像を黒映像に切り替えて出力する。
一方、映像切替装置１は、撮影映像の映像レベルが低くない場合、暗転状態でないと判定して、撮影映像をそのまま出力する。
【００１８】
この映像切替装置１が出力した映像は、図示を省略した放送設備を介して、視聴者のＨＤＲディスプレイ３に送信される。このＨＤＲディスプレイ３は、映像切替装置１から送信された映像を、人間に近い視覚特性で表示可能な視覚特性再現型のディスプレイである。
【００１９】
［映像切替装置の構成］
図２を参照し、映像切替装置１の構成について説明する（適宜図１参照）。
図２のように、映像切替装置１は、ブロック分割部１０と、平均ブロックレベル算出部（映像レベル算出部）２０と、切替条件設定部３０と、切替判定部４０と、黒信号発生部５０と、オーバーラップ切替部（映像切替部）６０と、切替指令部７０とを備える。
【００２０】
ブロック分割部１０は、ＨＤＲカメラ２から入力された撮影映像を予め設定されたサイズのブロックに分割するものである。本実施形態では、ブロック分割部１０は、図３のように、撮影映像を構成する各画像（フレーム画像又はフィールド画像）を、任意の画素数（例えば、縦３２画素×横３２画素）の矩形ブロックに分割する。そして、ブロック分割部１０は、ブロックに分割された撮影映像を平均ブロックレベル算出部２０に出力する。
【００２１】
平均ブロックレベル算出部２０は、ブロック分割部１０で分割されたブロック毎に、撮影映像の明るさを表す映像レベルを算出するものである。本実施形態では、平均ブロックレベル算出部２０は、映像レベルとして、各画像のブロック内で画素レベルの平均値を算出する。この画素レベルは、例えば、画素に付随するＹ信号（輝度信号）の値、又は、ＲＧＢ信号の値である。そして、平均ブロックレベル算出部２０は、各ブロックの映像レベルを切替判定部４０に出力する。
【００２２】
切替条件設定部３０は、後記する切替判定部４０で用いる切替条件を予め設定するものである。本実施形態では、映像切替装置１の利用者が、図示を省略したキーボード、マウス等の入力手段を用いて、切替条件を切替条件設定部３０に設定することとした。この切替条件には、映像を切り替える際、映像レベルの判定基準となる基準映像レベルと、ブロック数の判定基準となる基準ブロック数とが含まれる。そして、切替条件設定部３０は、設定された切替条件を切替判定部４０に出力する。
【００２３】
切替判定部４０は、切替条件設定部３０で設定された切替条件と、平均ブロックレベル算出部２０から入力された映像レベルとに基づいて、映像の切替を判定するものである。
ここで、切替判定部４０は、映像レベルが基準映像レベル以上となるブロック数が基準ブロック数未満の場合、撮影映像を黒映像に切り替えると判定する。
一方、切替判定部４０は、映像レベルが基準映像レベル以上となるブロック数が基準ブロック数以上の場合、黒映像を撮影映像に切り替えると判定する。
【００２４】
例えば、映像レベルとして、各画素のＹ信号の値を用いると共に、切替条件として、基準映像レベルを１０％、基準ブロック数を１個に設定したこととする。そして、図４のように、ピンスポット照明されずに出演者がうっすらと映っている撮影映像が入力された場合を考える。この場合、切替判定部４０は、撮影画像全体が暗いので、映像レベルが１０％以上となるブロック数が１個未満になり、撮影映像を黒映像に切り替えると判定する。
【００２５】
また、図５のように、出演者の頭部がピンスポット照明された撮影映像が入力された場合を考える。この場合、切替判定部４０は、ピンスポット照明された頭部が含まれるブロックが明るいので、映像レベルが１０％以上となるブロック数が１個以上になり、黒映像を撮影映像に切り替えると判定する。
【００２６】
その後、切替判定部４０は、撮影映像から黒映像への切り替え、又は、黒映像から撮影映像への切り替えの何れかを示す判定結果を、オーバーラップ切替部６０に出力する。
【００２７】
黒信号発生部５０は、予め設定された映像レベルの黒映像（黒信号）を発生させるものである。ここで、黒信号発生部５０は、ＨＤＲディスプレイ３の出力特性に個体差があることを考慮し、黒映像の映像レベルを任意に設定できることとした。例えば、黒映像の映像レベルは、０％、５％又は１０％の何れかに設定できる。そして、黒信号発生部５０は、発生させた黒映像をオーバーラップ切替部６０に出力する。
【００２８】
オーバーラップ切替部６０は、切替判定部４０から入力された判定結果に従って、ＨＤＲカメラ２から入力された撮影映像と、黒信号発生部５０から入力された黒映像とを切り替えるものである。
ここで、判定結果が撮影映像を黒映像に切り替えることを示す場合、オーバーラップ切替部６０は、所定の時間内で撮影映像を黒映像に切り替える。
一方、判定結果が黒映像を撮影映像に切り替えることを示す場合、オーバーラップ切替部６０は、所定の時間内で黒映像を撮影映像に切り替える。
【００２９】
具体的には、オーバーラップ切替部６０は、オーバーラップ、フェード又はミックスと呼ばれる画像切替処理により撮影映像と黒映像とを徐々に切り替えて、外部（例えば、放送設備）に出力する。この画像切替処理は、例えば、下記のホームページに記載されているため、これ以上の説明を省略する。
“フェードインとフェードアウトの画像処理”、［online］、［平成２７年１２月１０日検索］、インターネット〈URL：http://www.sm.rim.or.jp/~shishido/feed.html〉
【００３０】
このとき、映像を即座に切り替えると視聴者が違和感を感じる一方、ライトチェンジ等の演出を忠実に再現するため、切替時間を長くすればよいわけでもない。そこで、オーバーラップ切替部６０は、徐々に映像を切り替えることが好ましい。具体的には、オーバーラップ切替部６０は、１秒以内（例えば、数フレーム〜１０フレーム）の短時間で映像を切り替える。
なお、この切替時間は、後記する切替指令部７０で任意に設定可能である。
【００３１】
また、切替判定部４０が誤判定を起こす可能性もある。そこで、オーバーラップ切替部６０は、切替指令部７０から切替指令が入力された場合、この切替指令に従って、判定結果が入力されたときと同様の手順で、撮影映像と黒映像を切り替えてもよい。この切替指令は、前記した判定結果よりも高い優先度で扱われ、撮影映像から黒映像への切り替え、又は、黒映像から撮影映像への切り替えの何れかを示す。
【００３２】
なお、切替判定部４０及びオーバーラップ切替部６０は、撮影映像に含まれる画像単位で処理を行うため、処理タイミングを同期させることが好ましい。例えば、切替判定部４０及びオーバーラップ切替部６０は、各フレーム画像に付加されたタイムコードを用いて、同期させることができる。
【００３３】
また、画像単位で切り替えの判定を行うため、同じ判定結果が連続して入力される場合がある。例えば、撮影映像を黒映像に切り替えを示す判定結果が連続して入力される場合がある。この場合、オーバーラップ切替部６０は、画像切替処理を行わずに黒映像をそのまま出力する。
撮影映像から黒映像への切り替えを示す判定結果が連続して入力された場合も同様である。
【００３４】
また、撮影映像から黒映像への切り替え途中に、黒映像から撮影映像への切り替えを示す判定結果が入力される場合がある。この場合、オーバーラップ切替部６０は、撮影映像から黒映像に切り替えている途中の画像に画像切替処理を施して、撮影映像に切り替えるとよい。
黒映像から撮影映像への切り替え途中に、撮影映像から黒映像への切り替えを示す判定結果が入力された場合も同様である。
【００３５】
切替指令部７０は、オーバーラップ切替部６０に切替指令を出力するものである。本実施形態では、映像切替装置１の利用者が、図示を省略したマウス、キーボード、フェーダ等の入力手段を用いて、切替指令を切替指令部７０に入力することとした。また、映像切替装置１の利用者が、切替時間を切替指令部７０に設定することもできる。
【００３６】
［映像切替装置の動作］
図６を参照し、映像切替装置１の動作について説明する（適宜図２参照）。
図６のように、映像切替装置１は、ブロック分割部１０によって、ＨＤＲカメラ２から入力された撮影映像をブロックに分割する（ステップＳ１）。
映像切替装置１は、平均ブロックレベル算出部２０によって、ブロック分割部１０で分割されたブロック毎に映像レベルを算出する（ステップＳ２）。
【００３７】
映像切替装置１は、切替判定部４０によって、映像レベルが基準映像レベル以上となるブロック数が、基準ブロック数未満であるか基準ブロック数以上であるかを判定する（ステップＳ３）。
【００３８】
基準ブロック数未満の場合、映像切替装置１は、オーバーラップ切替部６０によって、画像切替処理を施して、撮影映像を黒映像に切り替える（ステップＳ４）。
基準ブロック数以上の場合、映像切替装置１は、オーバーラップ切替部６０によって、画像切替処理を施して、黒映像を撮影映像に切り替える（ステップＳ５）。
【００３９】
本願発明の第１実施形態に係る映像切替装置１は、ブロック単位で映像レベルの算出及び切り替えの判定を行うため、ＨＤＲカメラ２の撮像素子に白傷があった場合でも、その白傷に対応した画素が含まれるブロックの映像レベルが低くなるので、撮影映像から黒映像に切り替えると正しく判定できる。
一方、画素単位で映像レベルの算出及び切り替えの判定を行うと、ＨＤＲカメラ２の撮像素子に白傷があった場合、その白傷に対応した画素が明るくなるので、撮影映像から黒映像への切り替えが行われないという誤判定が生じかねない。
このように、映像切替装置１は、１画素などの極小局所的な映像レベルの変化による誤判定を防止し、演出上見せたくない映像を隠すことができるので、ＨＤＲ映像システムにおいて、演出効果の高い放送番組を制作することができる。
【００４０】
（第２実施形態）
［映像切替装置の概要］
図７を参照し、本願発明の第２実施形態に係る映像切替装置１Ｂの概要について、説明する（適宜図８参照）。
図７のように、白色の壁Ｗや白色の床Ｆの撮影スタジオに強い照明（不図示）を照らし、白色のトーンの違いにより生じる壁Ｗと床Ｆの境界Ｂを見えなくする演出が行われる場合がある（通称、「白飛ばし」）。これらの照明の一部は、通常、図示を省略した白い衝立（通称、「ローホリ隠し」）により、映像に映らないように隠されている。
【００４１】
従来の撮影カメラでは、強い照明光により白潰れするため、境界Ｂやローホリ隠しが映像に映ることはなかった。しかし、ＨＤＲカメラ２（図１）では、その撮像特性のために境界Ｂやローホリ隠しが映像に映ってしまい、演出上好ましくない。
そこで、映像切替装置１Ｂは、ＨＤＲカメラ２で撮影された撮影映像と、全画面を白くした白映像とを切り替えるものである。
【００４２】
［映像切替装置の構成］
図８を参照し、映像切替装置１Ｂの構成について、第１実施形態と異なる点を説明する（適宜図１参照）。
図８のように、映像切替装置１Ｂは、ブロック分割部１０と、平均ブロックレベル算出部２０と、切替条件設定部３０と、切替判定部４０Ｂと、オーバーラップ切替部（映像切替部）６０Ｂと、切替指令部７０と、白信号発生部８０と、を備える。
【００４３】
切替判定部４０Ｂは、切替条件設定部３０で設定された切替条件と、平均ブロックレベル算出部２０から入力された映像レベルとに基づいて、映像の切替を判定するものである。
ここで、切替判定部４０Ｂは、映像レベルが基準映像レベル未満となるブロック数が基準ブロック数未満の場合、撮影映像を白映像に切り替えると判定する。
一方、切替判定部４０Ｂは、映像レベルが基準映像レベル未満となるブロック数が基準ブロック数以上の場合、白映像を撮影映像に切り替えると判定する。
【００４４】
例えば、映像レベルとして、各画素のＹ信号の値を用いると共に、切替条件として、基準映像レベルを９０％、基準ブロック数を１個に設定したこととする。そして、図９のように、出演者がいない撮影スタジオの撮影映像が入力された場合を考える。この場合、切替判定部４０Ｂは、撮影画像全体が明るいので、映像レベルが９０％未満となるブロック数が１個未満になり、撮影映像を白映像に切り替えると判定する。
【００４５】
また、図１０のように、出演者が登場した撮影スタジオの撮影映像が入力された場合を考える。この場合、切替判定部４０Ｂは、出演者が含まれるブロックが壁Ｗや床Ｆより暗いので、映像レベルが９０％未満となるブロック数が１個以上になり、白映像を撮影映像に切り替えると判定する。
【００４６】
その後、切替判定部４０Ｂは、撮影映像から白映像への切り替え、又は、白映像から撮影映像への切り替えの何れかを示す判定結果を、オーバーラップ切替部６０Ｂに出力する。
【００４７】
オーバーラップ切替部６０Ｂは、切替判定部４０Ｂから入力された判定結果に従って、ＨＤＲカメラ２から入力された撮影映像と、白信号発生部８０から入力された白映像とを切り替えるものである。
【００４８】
ここで、判定結果が撮影映像を白映像に切り替えることを示す場合、オーバーラップ切替部６０Ｂは、所定の時間内で撮影映像を白映像に切り替える。
一方、判定結果が白映像を撮影映像に切り替えることを示す場合、オーバーラップ切替部６０Ｂは、所定の時間内で白映像を撮影映像に切り替える。
なお、オーバーラップ切替部６０Ｂは、第１実施形態と同様の画像切替処理を行うため、これ以上の説明を省略する。
【００４９】
白信号発生部８０は、予め設定された映像レベルの白映像（白信号）を生成するものである。ここで、白信号発生部８０は、各ＨＤＲディスプレイ３の出力特性に個体差がある場合を考慮し、白映像の映像レベルを設定できることとした。例えば、白映像の映像レベルは、９０％、９５％又は１００％の何れかに設定できる。そして、白信号発生部８０は、生成した白映像をオーバーラップ切替部６０Ｂに出力する。
【００５０】
［映像切替装置の動作］
図１１を参照し、映像切替装置１Ｂの動作について、第１実施形態と異なる点を説明する（適宜図８参照）。
映像切替装置１Ｂは、切替判定部４０Ｂによって、映像レベルが基準映像レベル未満となるブロック数が、基準ブロック数未満であるか基準ブロック数以上であるかを判定する（ステップＳ６）。
【００５１】
基準ブロック数未満の場合、映像切替装置１Ｂは、オーバーラップ切替部６０Ｂによって、画像切替処理を施して、撮影映像を白映像に切り替える（ステップＳ７）。
基準ブロック数以上の場合、映像切替装置１Ｂは、オーバーラップ切替部６０Ｂによって、画像切替処理を施して、白映像を撮影映像に切り替える（ステップＳ８）。
【００５２】
本願発明の第２実施形態に係る映像切替装置１Ｂは、ブロック単位で映像レベルの算出及び切り替えの判定を行うため、ＨＤＲカメラ２の撮像素子に黒傷があった場合でも、その黒傷に対応した画素が含まれるブロックの映像レベルが高くなるので、撮影映像から白映像に切り替えると正しく判定できる。
一方、画素単位で映像レベルの算出及び切り替えの判定を行うと、ＨＤＲカメラ２の撮像素子に黒傷があった場合、その黒傷に対応した画素が暗くなるので、撮影映像から白映像への切り替えが行われないという誤判定が生じかねない。
このように、映像切替装置１Ｂは、１画素などの極小局所的な映像レベルの変化による誤判定を防止し、演出上見せたくない映像を隠すことができるので、ＨＤＲ映像システムにおいて、演出効果の高い放送番組を制作することができる。
【００５３】
前記した各実施形態では、ブロックのサイズが縦３２画素×横３２画素であることとして説明したが、本願発明は、これに限定されない。つまり、ブロックは、撮影映像と同じサイズ又はそれ以下のサイズであればよい。
【００５４】
前記した各実施形態では、映像切替装置の映像を放送設備に出力することとして説明したが、本願発明は、これに限定されない。例えば、映像切替装置を各家庭のテレビ受信機に内蔵又は外付けしてもよい。
【００５５】
前記した各実施形態では、映像切替装置が、黒映像又は白映像の何れか一方に切り替えることとして説明したが、黒映像及び白映像の両方に切り替えてもよい。つまり、映像切替装置は、暗闇に紛れている出演者が映ってしまう場合、黒映像に切り替えると共に、ローホリ隠しが映ってしまう場合、白映像に切り替える。
【００５６】
前記した各実施形態では、映像切替装置を独立したハードウェアとして説明したが、本願発明は、これに限定されない。例えば、コンピュータが備えるＣＰＵ、メモリ、ハードディスク等のハードウェア資源を、映像切替装置として協調動作させる映像切替プログラムで実現することもできる。このプログラムは、通信回線を介して配布してもよく、ＣＤ−ＲＯＭやフラッシュメモリ等の記録媒体に書き込んで配布してもよい。
【符号の説明】
【００５７】
１，１Ｂ  映像切替装置
２  ＨＤＲカメラ（視覚特性再現型の撮影カメラ）
３  ＨＤＲディスプレイ
１０  ブロック分割部
２０  平均ブロックレベル算出部（映像レベル算出部）
３０  切替条件設定部
４０，４０Ｂ  切替判定部
５０  黒信号発生部
６０，６０Ｂ  オーバーラップ切替部（映像切替部）
７０  切替指令部
８０  白信号発生部
【図１】
2017126878.tif 000003
【図２】
2017126878.tif 000004
【図３】
2017126878.tif 000005
【図４】
2017126878.tif 000006
【図５】
2017126878.tif 000007
【図６】
2017126878.tif 000008
【図７】
2017126878.tif 000009
【図８】
2017126878.tif 000010
【図９】
2017126878.tif 000011
【図１０】
2017126878.tif 000012
【図１１】
2017126878.tif 000013
【図１２】
2017126878.tif 000014